(57)【要約】  【課題】  地震、火災等の異常現象発生時の様々な状況に対応できる動物用避難装置を提供する。  【解決手段】  動物の背中と両脇に対応する主部を備え、該主部は動物の首方向に対応する第１端部と、動物の尻方向に対応する第２端部と、動物の両脇に対応する２つの第３端部とからなり、前記第１端部には先端部が首部を回って互いに重なり、その重なり部に結合手段を有する２つの首回り突起を有し、前記第３端部からそれぞれ突出し先端部が胴部を回って互いに重なり、その重なり部に結合手段を有する２つの胴回り突起を有し、前記主部の外面には所定の長さの紐状体と、該紐状体を収脱可能にするための開口部を有した紐状体収納袋とを有することを特徴とする動物用避難装置であり、そのように構成することにより、地震、火災等の異常現象発生時に対応可能である。  【選択図】  図３
2008118938.tif 000002
【特許請求の範囲】
【請求項１】
動物の背中と両脇に対応する主部を備え、該主部は動物の首方向に対応する第１端部と、動物の尻方向に対応する第２端部と、動物の両脇に対応する２つの第３端部とからなり、前記第１端部には先端部が首部を回って互いに重なり、その重なり部に結合手段を有する２つの首回り突起を有し、前記第３端部からそれぞれ突出し先端部が胴部を回って互いに重なり、その重なり部に結合手段を有する２つの胴回り突起を有し、前記主部の外面には所定の長さの紐状体と、該紐状体を収脱可能にするための開口部を有した紐状体収納袋とを有することを特徴とする動物用避難装置。
【請求項２】
前記第２端部の両角部と前記２つの首回り突起の先端部との間に対角線状に交叉する２つの帯状体を設け、該帯状体のそれぞれの端部には担架用取っ手を有し、さらに前記２つの首回り突起の一方の基部に設けた補助帯状体を収納袋に収脱可能に設け、該補助帯状体の先端部には前記担架用取っ手と一緒に把持するための第２担架用取っ手を有することを特徴とする請求項１の動物用避難装置。
【請求項３】
前記主部の外面のほぼ中央部に両端を動物の背筋に沿う方向に背中用取っ手を設けたことを特徴とする請求項１または請求項２記載の動物用避難装置。
【請求項４】
前記主部の外面で動物の背筋の左右に対応して袋状体を設けたことを特徴とする請求項１から３のうちの１項記載の動物用避難装置。
【請求項５】
前記主部の外面又は、該主部の外面に設けた付属物の外面の全部又は一部に反射体、発光体又は蓄光体などの輝光手段を設けたことを特徴とする請求項１から４のうちの１項記載の動物用避難装置。
【請求項６】
前記主部の外面、該主部からの突起物又は主部の外面に設けた付属物の全部又は一部が不燃素材又は難燃素材で形成されていることを特徴とする請求項１から５のうちの１項記載の動物用避難装置。
【発明の詳細な説明】
【技術分野】
【０００１】
本発明は地震、火災等の異常現象発生時における動物用避難装置に関するものである。
【背景技術】
【０００２】
近年、一部の動物が人間の伴侶動物として扱われるなど、人間と動物の関り方が密になってきた。このような環境の中で災害等の異常現象が発生した場合、人間の避難の手段のみでなく動物の避難の手段も、かつて以上に望まれている。
動物用避難装置に関する技術としては不燃素材あるいは難燃素材で形成された防災用品がある（特許文献１参照）。
また動物に装着させる装置に関する技術としてはペットの体温を下げることはできるが避難装置としての記載がない衣服がある（特許文献２参照）。
【特許文献１】実用新案登録第３１０８４０４号公報
【特許文献２】特許第３７７１５７１号公報
【発明の開示】
【発明が解決しようとする課題】
【０００３】
特許文献１の請求項１記載の防災用品が対象とする猫や犬の聴覚は、人間の聴覚よりも優れており生活する上での重要性の高い感覚器であり、防災用品で動物の耳を覆うことは異常現象発生時に周囲の状況を動物が迅速に把握することを困難にする。また略長方形であり動物の体の表面に沿っていない部分が多いため、崩落した障害物等に防災用品が衝突し引っかかる可能性があり、動物が障害物と防災用品との引っかかりから離脱しようとする動作により、防災用品が動物の体から分離してしまう可能性がある。
【０００４】
動物の安全な避難には人間の知恵が必要であり、動物の同伴者が安全に避難する環境を確保することが、動物を安全に避難させる前提となる場合も多い。よって動物の同伴者の重量負担を軽減するため、動物が無事であり歩行できる場合は、動物の自立歩行による避難の形態をとることが望ましい。
【０００５】
特許文献１の請求項２の防災用品は、動物が無事な場合でも同伴者が運搬することが前提となっており、動物の重量と防災用品の重量がすべて同伴者の負担となり迅速な避難に支障をきたす。近年の人間用の非常用持ち出し袋の普及を鑑みると、異常現象発生時に人間用の非常用持ち出し袋を同伴者が持って避難することが考えられ、同伴者の重量負担の軽減は必要である。
【０００６】
特許文献２の衣服では２つの被覆部の間の貫通口に動物の首を通す衣服であり、異常現象発生時では動物は興奮している可能性があり、貫通口に動物の首を通すことは容易ではない。
【０００７】
さらに特許文献１の請求項１の防災用品と特許文献２の衣服は動物を制御する手段がないため同伴者と別離してしまう可能性がある。
【０００８】
迅速な対応が求められる異常現象発生時において、以上のすべての課題に対し別々の装置を準備し使用することは非効率である。よって１つの避難装置によって解決することが課題となる。
【課題を解決するための手段】
【０００９】
本発明においては上記課題のすべてを解決するため、請求項１に記載の発明に係る動物用避難装置は、動物の背中と両脇に対応する主部を備え、該主部は動物の首方向に対応する第１端部と、動物の尻方向に対応する第２端部と、動物の両脇に対応する２つの第３端部とからなり、前記第１端部には先端部が首部を回って互いに重なり、その重なり部に結合手段を有する２つの首回り突起を有し、前記第３端部からそれぞれ突出し先端部が胴部を回って互いに重なり、その重なり部に結合手段を有する２つの胴回り突起を有し、前記主部の外面には所定の長さの紐状体と、該紐状体を収脱可能にするための開口部を有した紐状体収納袋とを有することを特徴とする。
【００１０】
請求項２に記載の発明に係る動物用避難装置は、前記第２端部の両角部と前記２つの首回り突起の先端部との間に対角線状に交叉する２つの帯状体を設け、該帯状体のそれぞれの端部には担架用取っ手を有し、さらに前記２つの首回り突起の一方の基部に設けた補助帯状体を収納袋に収脱可能に設け、該補助帯状体の先端部には前記担架用取っ手と一緒に把持するための第２担架用取っ手を有することを特徴とする。
【００１１】
請求項３に記載の発明に係る動物用避難装置は、前記主部の外面のほぼ中央部に両端を動物の背筋に沿う方向に背中用取っ手を設けたことを特徴とする。
【００１２】
請求項４に記載の発明に係る動物用避難装置は、前記主部の外面で動物の背筋の左右に対応して袋状体を設けたことを特徴とする。
【００１３】
請求項５に記載の発明に係る動物用避難装置は、前記主部の外面又は、該主部の外面に設けた前記袋状体、前記背中用取っ手などの付属物の外面の全部又は一部に反射体、発光体又は蓄光体などの輝光手段を設けたことを特徴とする。
【００１４】
請求項６に記載の発明に係る動物用避難装置は、前記主部の外面、該主部からの突起物又は主部の外面に設けた付属物の全部又は一部が不燃素材又は難燃素材で形成されていることを特徴とする。
【発明の効果】
【００１５】
当該装置が動物の耳を被覆しない形状であるため、動物が異常現象発生時に周囲の状況の把握をすることができる。また当該装置が特許文献１の請求項１記載の防災用品と比較して動物の体に沿った形状のため避難途中に障害物に衝突する可能性を低減できる。
【００１６】
また異常現象発生時に動物に当該装置を装着させる方法が、動物の背中に乗せて首回り突起の先端部を首部に回して結合し、胴回り突起の先端部を胴部に回して結合するだけで済み、特許文献２記載の２つの被覆部の間の貫通口に動物の首を通す方法と比べ迅速にできる。
【００１７】
さらに当該装置を動物に装着させた後に紐状体を同伴者が把持することにより、同伴者は動物を制御するだけでよく、特許文献１の請求項２記載の防災用品と比較して同伴者の重量負担が軽減され、同伴者が円滑に避難できる。
【発明を実施するための最良の形態】
【００１８】
以下、図面を参照して本発明の好ましい実施の形態を説明すると、本実施形態における動物用避難装置は、主部３、２つの首回り突起７、２つの胴回り突起８、紐状体９、帯状体１０、補助帯状体１１、背中用取っ手１２、担架用取っ手１３、第２担架用取っ手１４、紐状体収納袋１５、補助帯状体収納袋１６、袋状体１７が難燃加工を施した柔軟な生地からなり、首回り結合手段１８、胴回り結合手段１９が難燃加工を施した面ファスナーからなる。前述の各素材を不燃素材、難燃素材にすることで、動物１が火災における炎や火の粉によって火傷してしまう可能性を低減できる。
【００１９】
前記主部３、２つの首回り突起７、２つの胴回り突起８は動物１の体に接する内面に対応する生地Ａと、動物１の体に接しない外面に対応する生地Ｂをそれぞれ一体化した形に裁断し２層構造としている。皮膚病など肌の弱い動物のために、内面に対応する生地を、抗菌加工等を施した生地にすることが望ましい。
【００２０】
前記２つの帯状体１０が前記２種類の生地Ａ、Ｂの間に挟まるよう、第２端部５の両端部両角と第１端部４に構成した前記首回り突起７との間に、対角線状に主部３に縫着されている。
【００２１】
前記２種類の生地Ａ、Ｂの端縁をパイピング処理により縫着することにより、当該装置の周囲から生地が裂けてしまう可能性を低減できる。よって動物用避難装置２を動物１の背中に乗せ、２つの首回り突起７の各先端部を動物１の首部に、２つの胴回り突起８の各先端部を動物２の胴部に結合するだけで異常現象発生時に迅速に装着させることができる。
【００２２】
前記２つの帯状体１０の両端には担架用取っ手１３が生地Ａから露出するように形成され、図５に示すように当該装置を担架として使用するときの把持に対応する。担架用取っ手１３は柔軟なため第２端部５の両端部と２つの首回り突起７の先端部に折り畳める。図３に示すように動物用避難装置２を動物１に装着させた時に、担架用取っ手１３は外部に露出せず、避難途中に担架用取っ手１３が障害物等に引っかかることを防ぐことができる。
【００２３】
首回り結合手段１８は面ファスナーの一方の面を、２つの首回り突起７の一方の先端部の外面に縫着し、他方の面を２つの首回り突起７の他方の先端部の内面に縫着してなる。したがって図３に示すように２つの首回り突起７の各先端部を動物１の首部で着脱自在に、かつ、首部の円周方向の寸法を調整可能に結合できる。よって着崩れも防止できる。胴回り結合手段１９についても同様に面ファスナーで構成されている。ここに内面に縫着する側の面を柔軟側のものにすれば動物用避難装置２を装着している動物１の体毛、皮膚を傷めない。
【００２４】
図４に示すように動物用避難装置２を動物吊り下げ具として使用する時に、２つの胴回り突起８に動物１の体重が多くかかるため、胴回り結合手段１９についてはループ面とフック面が強力に結合する面ファスナーが望ましい。
【００２５】
図１に示すように、２つの首回り突起７が第１端部４の両端に位置し、２つの首回り突起７の先端部から第２端部５の両端部に対角線状に直線的に帯状体１０を配置できるようにすれば、帯状体１０を主部３だけでなく２つの首回り突起７の先端部まで延長させて縫着でき、帯状体１０が主部３に加えて２つの首回り突起７の補強となるため、なお望ましい。さらに帯状体１０と担架用取っ手１３を一体化させれば、図５に示すように動物用避難装置２を担架として使用する時には、担架用取っ手１３と第２端部５の両端部、２つの首回り突起７の先端部との結合部にかかる負担を軽減できる。
【００２６】
首回り結合手段１８、胴回り結合手段１９の長さを、２つの首回り突起７、２つの胴回り突起８に対してそれぞれ、図１、図２に示すように長く設ければ、動物が太ったり痩せたりした時にも、首部、胴部の円周方向の寸法を調整可能に結合できる。
【００２７】
図１、図３に示すように、紐状体９の両端の一方を動物１の第１端部４の中央部付近に固定し、同伴者が紐状体９の他方の端を把持することで動物１を制御する手段を得る。
【００２８】
また第１端部４の中央部付近に対して２つの胴回り突起８にほぼ線対称の主部３の外面に紐状体９の把持部分を結合すれば、図４に示すように動物用避難装置２は動物吊り下げ具となり、同伴者一人で負傷した動物１をバランスよく運搬できる。
【００２９】
また紐状体９の把持部分を同伴者の腰のベルトループ等に結合すれば、同伴者は動物１を制御するために、必ずしも紐状体９を把持する必要はない。また紐状体９は、やむを得ず避難途中に同伴者が動物１から一時的に離れる必要が生じた時の係留手段にもなる。
【００３０】
同伴者が子供の場合や車椅子に乗車している場合は、動物用避難装置２を装着した動物１の第１端部４の中央部付近から紐状体９の把持部分までの距離が短くなる。紐状体９の把持部分を第１端部４の中央部付近に接続することにより、紐状体９は半分の長さになり、輪状体が形成されるため把持に対応する。
【００３１】
図１に示すように第１端部４の中央部付近の外面に、開口部を有した紐状体収納袋１５の周囲を縫着することで、異常現象発生前に動物用避難装置２を保管している時に紐状体９を収納できる。異常現象発生時には同伴者は第１端部４の中央部付近の紐状体９を把持し、紐状体収納袋１５の開口部より紐状体９を引っ張り出すことができる。
【００３２】
また図１に示すように、紐状体収納袋１５の周囲の一側面に金属製の笛２１などの発音手段を着脱自在に結合すれば、動物の同伴者が負傷した場合等に周囲に救助を促すことができる。また着脱自在な発音手段を動物１の耳元から離して使用することで、動物１の聴覚への過度な刺激を防止できる。
【００３３】
さらに紐状体収納袋１５の周囲の一側面に、金属製のＩＤカプセル２２等を結合させれば、ＩＤカプセル２２内に同伴者の連絡先、動物１の健康状態等の情報を記載した紙等を内在させることができ、動物と同伴者が別離した場合への対応となる。
【００３４】
加えて紐状体収納袋１５の周囲の一側面に金属製の鈴２３を結合させれば、動物１が動くことで鈴２３の音により周囲に認知を促すこともできる。
【００３５】
図２に示すように、補助帯状体１１は動物用避難装置２を担架として用いる場合において動物の首部（又は尻部）をのせるためのもので、２つの首回り突起７間の空間を埋めるように、基端が一方の首回り突起７に縫着され、先端が他方の首回り突起７の先端方向に延在し、該補助帯状体１１の先端部には第２担架用取っ手１４が形成される。この第２担架用取っ手１４は前記担架用取っ手１３の一つとほぼ重なり、図５に示すように一緒に把持できる。
【００３６】
これにより図５に示すように動物用避難装置２を担架として使用する時に、補助帯状体１１が動物１の頭部を含め安定性が増し、動物１の頚椎等の損傷の可能性を低減できる。
【００３７】
この補助帯状帯１１は平時には補助帯状体収納袋１６に収納可能である。よって動物１に動物用避難装置２を装着させた時に、補助帯状体１１が外部に露出せず、避難途中に補助帯状体１１が障害物等に引っかかることを防ぐことができる。補助帯状体１１の先端部の第２担架用取っ手１４のみを、補助帯状体収納袋１６に収納しなければ、異常事態発生時に迅速に第２担架用取っ手１４を把持し対応できる。
【００３８】
図１に示すように、背中用取っ手１２の両端部を外面に対応した生地に縫着することにより把持に対応する。縫着の位置は胴回り突起８にほぼ線対称であれば、背中用取っ手１２を把持しバランスよく動物１を吊り下げることができる。異常事態発生前に背中用取っ手１２を外部に露出した状態で動物用避難装置２を折り畳んで収納しておけば、異常現象発生時に背中用取っ手１２を把持し迅速に対応することができる。背中用取っ手１２は動物１に対して紐状体９以外の制御手段にもなる。
【００３９】
袋状体１７と主部３をジャンバーホック等の強力なホックによって、複数箇所で着脱自在に結合することにより、動物用避難用品２を動物１自身が運搬でき、同伴者の負担を軽減できる。動物１の負傷等の状態によって袋状体１７を運搬できない場合は、袋状体１７を動物用避難装置２から外し、同伴者が運搬することもできる。袋状体１７は難燃加工を施したファスナーを取り付ければ開閉自在となり、迅速に動物用避難用品を取り出すことができる。
【００４０】
図１に示すように、主部３、首回り突起７、背中用取っ手１２、袋状体１７の外面に、反射体２０である難燃性の蛍光布を固定することで、夜間において動物１に動物用避難装置２を装着させた後も動物１の上部、側部、前部から動物１を視認しやすくなる。
【００４１】
なお前述の説明では、主部３、２つの首回り突起７、２つの胴回り突起８、紐状体９、帯状体１０、補助帯状体１１、背中用取っ手１２、担架用取っ手１３、第２担架用取っ手１４、紐状体収納袋１５、補助帯状体収納袋１６、袋状体１７が難燃加工を施した生地としているが、必ずしも生地である必要はなく柔軟な素材であればよい。よって固定手段が縫着でなくてもよい。
【００４２】
また火災は異常現象の種類の一部にすぎないため、動物用避難装置２の各構成が必ずしも不燃素材、難燃素材である必要はない。
【００４３】
前述の説明では主部３、２つの首回り突起７、２つの胴回り突起８が２層構造であるとしているが、１層構造とすることもでき、３層構造以上でもよい。主部３、２つの首回り突起７、２つの胴回り突起８は動物の体型に合わせて大きさ、形を対応させることができる。
【００４４】
２つの首回り突起７、２つの胴回り突起８は必ずしも、図１、図２に示すような左右が同じ長さである必要はなく、動物の首回り、胴回りの大きさに対応して、２つの首回り突起７、２つの胴回り突起８のそれぞれ１つの突起を長くし、各残り片側を短くして動物に結合しやすくすることもできる。
【００４５】
首回り結合手段１８、胴回り結合手段１９は、例示した面ファスナーに限定されず、ホック等の各種の結合手段が利用できる。
【００４６】
補助帯状体収納袋１６と補助帯状体１１は図２に示すような１つである必要はなく、動物の頭部（又は尻部）付近の重量に合わせ２つ以上にしてもよい。
【００４７】
袋状体１７は図１に示すような２つである必要はなく、１つでも動物用避難用品の運搬は可能であり、３つ以上にしてもよい。
【００４８】
反射体２０は例示した蛍光布に限定されず、反射塗料、発光塗料、蓄光布等の反射体、発光体、蓄光体によっても夜間の被視認性を高めることができる。また例示したような主部３、首回り突起７、背中用取っ手１２、袋状体１７の外面にのみ必ずしも位置する必要はなく、紐状体収納袋１５などの主部の外面の付属物に位置してもよい。
【００４９】
本発明は実施例に限定されず発明の主旨の範囲で各種の応用ができる。
【図面の簡単な説明】
【００５０】
【図１】本発明に係る動物用避難装置の実施形態における動物の体に接しない外面の平面図。
【図２】本発明に係る動物用避難装置の実施形態における動物の体に接する内面の平面図。
【図３】本発明に係る動物用避難装置の実施形態において動物に装着させた状態を示す外観図。
【図４】本発明に係る動物用避難装置の実施形態において動物吊り下げ具としての使用状態を示す外観図。
【図５】本発明に係る動物用避難装置の実施形態において担架としての使用状態を示す外観図。
【符号の説明】
【００５１】
１    動物
２    動物用避難装置
３    主部
４    第１端部
５    第２端部
６    第３端部
７    首回り突起
８    胴回り突起
９    紐状体
１０  帯状体
１１  補助帯状体
１２  背中用取っ手
１３  担架用取っ手
１４  第２担架用取っ手
１５  紐状体収納袋
１６  補助帯状体収納袋
１７  袋状体
１８  首回り結合手段
１９  胴回り結合手段
２０  反射体
２１  笛
２２  ＩＤカプセル
２３  鈴
Ａ    内面生地
Ｂ    外面生地
【図１】
2008118938.tif 000003
【図２】
2008118938.tif 000004
【図３】
2008118938.tif 000005
【図４】
2008118938.tif 000006
【図５】
2008118938.tif 000007
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
動物の背中と両脇に対応する主部を備え、該主部は動物の首方向に対応する第１端部と、動物の尻方向に対応する第２端部と、動物の両脇に対応する２つの第３端部とからなり、前記第１端部には先端部が首部を回って互いに重なり、その重なり部に結合手段を有する２つの首回り突起を有し、前記第３端部からそれぞれ突出し先端部が胴部を回って互いに重なり、その重なり部に結合手段を有する２つの胴回り突起を有し、前記主部の外面には所定の長さの紐状体と、該紐状体を収脱可能にするための開口部を有した紐状体収納袋とを有し、前記第２端部の両角部と前記２つの首回り突起の先端部との間に対角線状に交叉する２つの帯状体を設け、該帯状体のそれぞれの端部には担架用取っ手を有し、さらに前記２つの首回り突起の一方の基部に設けた補助帯状体を収納袋に収脱可能に設け、該補助帯状体の先端部には前記担架用取っ手と一緒に把持するための第２担架用取っ手を有することを特徴とする動物用避難装置。
【請求項２】
前記主部の外面のほぼ中央部に両端を動物の背筋に沿う方向に背中用取っ手を設けたことを特徴とする請求項１の動物用避難装置。
【請求項３】
前記主部の外面で動物の背筋の左右に対応して袋状体を設けたことを特徴とする請求項１または請求項２記載の動物用避難装置。
【請求項４】
前記主部の外面又は、該主部の外面に設けた付属物の外面の全部又は一部に反射体、発光体又は蓄光体などの輝光手段を設けたことを特徴とする請求項１から３のうちの１項記載の動物用避難装置。
【請求項５】
前記主部の外面、該主部からの突起物又は主部の外面に設けた付属物の全部又は一部が不燃素材又は難燃素材で形成されていることを特徴とする請求項１から４のうちの１項記載の動物用避難装置。
【手続補正２】
【補正対象書類名】明細書
【補正対象項目名】０００９
【補正方法】変更
【補正の内容】
【０００９】
本発明においては上記課題のすべてを解決するため、請求項１に記載の発明に係る動物用避難装置は、動物の背中と両脇に対応する主部を備え、該主部は動物の首方向に対応する第１端部と、動物の尻方向に対応する第２端部と、動物の両脇に対応する２つの第３端部とからなり、前記第１端部には先端部が首部を回って互いに重なり、その重なり部に結合手段を有する２つの首回り突起を有し、前記第３端部からそれぞれ突出し先端部が胴部を回って互いに重なり、その重なり部に結合手段を有する２つの胴回り突起を有し、前記主部の外面には所定の長さの紐状体と、該紐状体を収脱可能にするための開口部を有した紐状体収納袋とを有し、前記第２端部の両角部と前記２つの首回り突起の先端部との間に対角線状に交叉する２つの帯状体を設け、該帯状体のそれぞれの端部には担架用取っ手を有し、さらに前記２つの首回り突起の一方の基部に設けた補助帯状体を収納袋に収脱可能に設け、該補助帯状体の先端部には前記担架用取っ手と一緒に把持するための第２担架用取っ手を有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に記載の発明に係る動物用避難装置は、前記主部の外面のほぼ中央部に両端を動物の背筋に沿う方向に背中用取っ手を設けたことを特徴とする。
【手続補正５】
【補正対象書類名】明細書
【補正対象項目名】００１２
【補正方法】変更
【補正の内容】
【００１２】
請求項３に記載の発明に係る動物用避難装置は、前記主部の外面で動物の背筋の左右に対応して袋状体を設けたことを特徴とする。
【手続補正６】
【補正対象書類名】明細書
【補正対象項目名】００１３
【補正方法】変更
【補正の内容】
【００１３】
請求項４に記載の発明に係る動物用避難装置は、前記主部の外面又は、該主部の外面に設けた前記袋状体、前記背中用取っ手などの付属物の外面の全部又は一部に反射体、発光体又は蓄光体などの輝光手段を設けたことを特徴とする。
【手続補正７】
【補正対象書類名】明細書
【補正対象項目名】００１４
【補正方法】変更
【補正の内容】
【００１４】
請求項５に記載の発明に係る動物用避難装置は、前記主部の外面、該主部からの突起物又は主部の外面に設けた付属物の全部又は一部が不燃素材又は難燃素材で形成されていることを特徴とする。